(57)【要約】【課題】使用中の違和感を解消して緩衝性を高めると共に、使用中の体重移動を簡便化させ、さらには介護人が患者の身体移動を容易に行うことができるエアークッションを提供すること。【解決手段】空気を注入させることにより膨張する中空状のエアークッション（１）において、該エアークッション（１）の内部に嵩高状の空気遮蔽部（４）を設けると共に、前記空気遮蔽部（４）にて分割された分割室同士を、外部に突設した管（５）にて通気可能に連結した。【選択図】    図１
2004167179.tif 000002
【特許請求の範囲】
【請求項１】
空気を注入させることにより膨張する中空状のエアークッションにおいて、該エアークッション内部に嵩高状の空気遮蔽部を設けると共に、前記空気遮蔽部にて分割された分割室同士を、外部に突設した管にて通気可能に連結したことを特徴とするエアークッション。
【請求項２】
前記空気遮蔽部の少なくとも一か所に通気孔を穿設した請求項１記載のエアークッション。
【請求項３】
前記管に空気を遮蔽または通気させる弁機構を設けた請求項１または２記載のエアークッション。
【発明の詳細な説明】
【０００１】
【発明の属する技術分野】
本発明は、内部に収容された空気をスムーズに移行させることにより、着座時や就寝中、また介護時において、身体の移動を容易に行うことができるエアークッションに関する。
【０００２】
【従来の技術】
従来より、空気を注入させることにより、適宜形状に膨張するエアークッションが開発されている。一般的なエアークッションは、密閉状に形成された本体と、本体の一部に装着された、外気を注入または排気させる給気口とで形成されている。
【０００３】
また汎用のエアークッションは、内部のエアーを抜くことにより薄板状に縮小でき収納や運搬面で優れ、さらに、加工が比較的容易で大量生産が可能なため、遊戯具や枕、また寝具等に幅広く使用されている。
【０００４】
【発明が解決しようとする課題】
しかし、従来のエアークッションは、給気口より空気を注入させることにより、膨張して適宜形状に保形されるため、本体の緩衝性がやや低下するという欠点があった。
【０００５】
また、緩衝性を高めるため注入する空気を量を減らした場合、全体的に撓みが発生して心地よい使用感や安定性が得られなかった。
【０００６】
そこで本発明は上記の点に鑑み、違和感を解消して緩衝性を高めると共に、使用中の体重移動を簡便化させ、さらには介護人が患者の身体移動を容易に行うことができるエアークッションを提供することにある。
【０００７】
【課題を解決するための手段】
上記課題を達成するために、空気を注入させることにより膨張する中空状のエアークッションにおいて、該エアークッション内部に嵩高状の空気遮蔽部を設けると共に、前記空気遮蔽部にて分割された分割室同士を、外部に突設した管にて通気可能に連結したことを特徴とする。
【０００８】
上記構造により、一方の分割室が加圧された場合、該分割室内の空気は管を通って他の分割室に送り込まれる。そのため、クッション内の空気の移動がスムーズに行われ、例えば、介護人による横臥中の患者の寝返りを容易に行うことができる。
【０００９】
また、空気遮蔽部の少なくとも一か所に通気孔を穿設したことにより、分割室を複数連結した場合、管を設置しない状態でも分割室内の空気の移動を行うことができる。
【００１０】
さらに、前記管に空気を遮蔽または通気させる弁機構を設けたことにより、弁を遮蔽した場合、分割室の空気の通気を限定して行うことができる。
【００１１】
【発明の実施の形態】
以下、本発明のエアークッションの実施の形態を図１乃至図７に基づいて説明する。なお、図１は一部を欠切したエアークッションの全体図、図２乃至図４は前記エアークッションの使用状態を示す断面図、図５乃至図７は他の好適例を示すエアークッションの全体図をそれぞれ表す。
【００１２】
本発明のエアークッションは、玩具や運動用具、また枕や着座時に使用される敷設具等、遊戯具や実用品として幅広く用いられる。また特に、就寝時に使用されるマットレスとして使用した場合、介護人が横臥中の患者の寝返りを容易に行うことができる特性を有する。
【００１３】
エアークッション１のクッション本体２は、塩化ビニル等の密閉性を有する合成樹脂素材からなり、給気口３より外気を注入し膨張させることにより、例えば図１に示すように寝具用のマットレスとして形成することができる。
【００１４】
前記エアークッション１の内部には、内部を封止状態に分割する嵩高状の空気遮蔽部４が設けられており、空気遮蔽部４にて分割された分割室ａ、ｂの端部には、外部に突設した管５が通気可能に連結されている。
【００１５】
空気遮蔽部４は、クッション本体２と同様に塩化ビニール等の合成樹脂素材からなり、空気遮蔽部４の上下端は、クッション本体２の表面６と裏面７の内側に夫々接着されている。そのため、クッション本体２の空気遮蔽部４が施されている部分は、湾曲状に窪んだ状態に形成されている。
【００１６】
管５は、中空状で柔軟性を有する素材で形成されており、両端部分は分割室ａ、ｂの端部に夫々通気可能に連結されている。そのため、一方の分割室を加圧させた場合、分割室内の空気は管５を通って他方の分割室に通気される。またこの時、分割室内の空気の移動がスムーズに行われるため、例えば介護人による横臥中の患者の寝返りを容易に行うことができる。
【００１７】
また、他の好適例として、空気遮蔽部４の少なくとも一か所に通気孔８を穿設することが好ましい。この場合、分割室ａ、ｂの側面に分割室ｃ、ｄを併設し、かかる分割室（ａとｃ、およびｂとｄ）との間に設けられた空気遮蔽部４′に通気孔８を穿設することにより、分割室ａ、ｂの空気は通気孔８を通過して分割室ｃ、ｄへ送り込まれる。そのため、管５を設置しない状態でも分割室内の空気の移動を行うことができる。なお、前記通気孔８は通常、空気遮蔽部４の中央部に一か所もしくは適宜間隔を有し複数箇所穿設されている。
【００１８】
また、他の好適例として、前記管５に空気を遮蔽または通気させる弁機構９を設けることが好ましい。前記弁機構９の構造は特に限定されたものではないが、図示するように、コック１０を作動させることにより管５内の封止板１１が回転して空気の通気を遮蔽するものや、図５に示すように、クリップ１２にて管５を折り畳む構造が挙げられる。
【００１９】
次に、本発明のエアークッション１の使用方法および作用を図２乃至図３に基づいて説明する。
【００２０】
図２においては、分割室ａ、ｂを空気遮蔽部４にて遮蔽し、分割室ａ、ｂの側面に分割室ｃ、ｄを併設し、さらに管５の弁機構９を通気状態としたエアークッション１を示す。この状態で分割室ａの上部より加圧した場合、分割室ａ内の空気Ａは管５を通って分割室ｂ内に送り込まれると共に、空気遮蔽部４′の通気孔８より分割室ｃへ送り込まれる。さらに、分割室ｂ内の空気Ａは、空気遮蔽部４′の通気孔８より分割室ｄへ送り込まれる。
【００２１】
図３においては、上記と同じ条件で分割室ｃの上部より加圧した状態を示す。
この場合、分割室ｃ内の空気Ａは、空気遮蔽部４′の通気孔８より分割室ａに送り込まれ、さらに管５を通って分割室ｂ内に送り込まれると共に、空気遮蔽部４′の通気孔８より分割室ｄへ送り込まれる。
【００２２】
図４においては、弁機構９により管５を封止した状態のエアークッション１を示す。この状態で分割室ａの上部より加圧した場合、分割室ａ内の空気Ａは、空気遮蔽部４′の通気孔８より分割室ｃへ送り込まれる。また、分割室ｂの上部より加圧した場合、分割室ｂの空気Ａは空気遮蔽部４′の通気孔８より分割室ｄへ送り込まれる。
【００２３】
上述の構成により、夫々の分割室ａ、ｂ、ｃ、ｄの上部を加圧した場合、空気の移動がスムーズに行われるため、例えば介護人による横臥中の患者の寝返りを容易に行うことができる。
【００２４】
また、図６に示すように、分割室ａ、ｂの長さを短状に形成し、端部に給気口３を夫々設けることにより、簡便な構造で分割室の高さを調節することができ、利便性の高い枕として利用することができる。
【００２５】
また、図７に示すように、分割室ａ、ｂを複数連結してマット形状とし、外側に配置される分割室の側面に管５を夫々設け、内側に配置される分割室の底部に管５′を夫々設けることにより、管５、５′の通気状態を操作することで夫々の分割室を単独で凹凸させることが可能となる。そのため、薄板状の分割室や、膨張状態の空気溜り部が形成されるため、使用勝手が向上すると共に、大人から子供まで幅広く利用することができる。
【００２６】
【発明の効果】
以上説明してきたように、本発明のエアークッションは、上記の構成とすることで以下に示す効果を奏するものである。
【００２７】
空気を注入させることにより膨張する中空状のエアークッションにおいて、該エアークッション内部に嵩高状の空気遮蔽部を設けると共に、前記空気遮蔽部にて分割された分割室同士を、外部に突設した管にて通気可能に連結したことを特徴とする。そのため、一方の分割室が加圧された場合、該分割室内の空気は管を通って他の分割室に送り込まれ、クッション内の空気の移動がスムーズに行われ、例えば、介護人による横臥中の患者の寝返りを容易に行うことができる。
【００２８】
また、空気遮蔽部の少なくとも一か所に通気孔を穿設したことにより、分割室を複数連結した場合、管を設置しない状態でも分割室内の空気の移動を行うことができる。
【００２９】
さらに、前記管に空気を遮蔽または通気させる弁機構を設けたことにより、弁を遮蔽した場合、分割室の空気の通気を限定して行うことができる。
【図面の簡単な説明】
【図１】一部を欠切したエアークッションの全体図である。
【図２】前記エアークッションの使用状態を示す断面図である。
【図３】前記エアークッションの使用状態を示す断面図である。
【図４】前記エアークッションの使用状態を示す断面図である。
【図５】管に装着される弁機構を表す。
【図６】枕状に形成されたエアークッションを表す。
【図７】マット状に形成されたエアークッションを表す。
【符号の説明】
１・・・エアークッション
２・・・クッション本体
３・・・給気口
４・・・空気遮蔽部
５・・・管
６・・・表面
７・・・裏面
８・・・通気孔
９・・・弁機構
１０・・コック
１１・・封止板
１２・・クリップ
ａ・・・分割室
ｂ・・・分割室
ｃ・・・分割室
ｄ・・・分割室
Ａ・・・空気
【図１】
2004167179.tif 000003
【図２】
2004167179.tif 000004
【図３】
2004167179.tif 000005
【図４】
2004167179.tif 000006
【図５】
2004167179.tif 000007
【図６】
2004167179.tif 000008
【図７】
2004167179.tif 000009